(57)【要約】【課題】自然流下時に空気を取り込み、ランニングコストの低減化、好気性微生物の処理性能の安定化を確保する。【解決手段】ポンプ７により供給される汚水６を上向流で流動させて嫌気性処理する嫌気処理槽１と、この嫌気処理槽１から上部に供給される嫌気処理水を下向流の自然落下で流動させて好気性処理する好気処理槽２とを有する水処理装置であって、好気処理槽２としては、内部に好気性微生物が付着固定された担体２１が配列され、嫌気処理水を当該担体表面の好気性微生物と接触されて分解処理する好気ろ床部１１と、常圧下で空気を取り込んで前記好気性微生物を活性化する空気孔１５とを設け、嫌気処理水が好気ろ床部１１内を流下する際に空気孔１５から空気を取り込むようにした曝気レス水処理装置である。【選択図】図２
2007307530.tif 000002
【特許請求の範囲】
【請求項１】
ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、
前記好気処理槽は、内部に好気性微生物が付着固定された担体が配列され、前記嫌気処理水を当該担体表面の好気性微生物と接触されて分解処理する好気ろ床部と、常圧下で空気を取り込んで前記好気性微生物を活性化する空気供給部とを備えたことを特徴とする曝気レス水処理装置。
【請求項２】
前記空気供給部は、前記好気ろ床部を形成する外壁面部に水平または所定の傾斜角度を有する筒状の空気孔を設けたことを特徴とする請求項１に記載の曝気レス水処理装置。
【請求項３】
前記空気供給部は、好気ろ床部の少なくとも上部に配置され、前記嫌気処理槽から供給される嫌気処理水を当該好気ろ床部上に噴霧する散気部を設けたことを特徴とする請求項１に記載の曝気レス水処理装置。
【請求項４】
ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、
前記好気処理槽は、横方向に階段状となるように複数の分割好気処理槽が配列され、各分割好気処理槽内にはそれぞれ好気性微生物が付着固定された担体が配列された好気ろ床部と、上段側の前記分割好気処理槽から乱流状態で流下する際に空気中の酸素を取り込んで順次下段側に配列される前記分割好気処理槽に流下する空気供給手段とを備えたことを特徴とする曝気レス水処理装置。
【請求項５】
前記空気供給手段は、各分割好気処理槽の上部に配列され、供給される前記嫌気処理水を前記各分割好気処理槽の好気ろ床部上に噴霧する散気部を設けたことを特徴とする請求項１に記載の曝気レス水処理装置。
【請求項６】
ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、
前記好気処理槽は、内部に好気性微生物が付着固定された担体を配列したらせん状の好気ろ床部と、このらせん状の好気ろ床部内を前記嫌気処理水を旋回流式に流下させて空気中の酸素を取り込む空気供給手段とを備えたことを特徴とする曝気レス水処理装置。
【請求項７】
ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、
前記好気処理槽は、内部に好気性微生物が付着固定された担体を配列した段差を有する好気ろ床部と、この好気ろ床部の段差を利用して前記嫌気処理水を流下させる際に空気中の酸素を取り込む空気供給手段とを備えたことを特徴とする曝気レス水処理装置。
【請求項８】
前記空気供給部は、前記嫌気処理槽上部と前記好気ろ床部の異なる高さ位置との間にそれぞれ弁を有する複数の配管を配設し、前記複数の弁を開閉切り替えることにより、前記好気ろ床部内における前記嫌気処理水の水位を変動させる手段を設けたことを特徴とする請求項１に記載の曝気レス水処理装置。
【請求項９】
請求項１に記載の曝気レス水処理装置において、
前記嫌気処理槽及び前記好気処理槽に、通常の微生物分解処理流路とは別に、それぞれ弁を有する配管の接続により逆洗浄用流路を形成し、前記弁の切替え及びポンプの駆動によって、前記各処理槽内の流路変更、流動方向及び流量変化、これらの組合せの何れか１つを利用し、前記各処理槽内を洗浄する槽洗浄手段を付加したことを特徴とする曝気レス水処理装置。
【請求項１０】
請求項１ないし請求項８の何れか一項に記載の曝気レス水処理装置において、
前段側に複数の嫌気処理槽を直列に配列し、これら嫌気処理槽に続いて複数の好気処理槽を直列に配列し、各処理槽ごとに異なる菌種の微生物を生育可能にしたことを特徴とする曝気レス水処理装置。
【請求項１１】
請求項１ないし請求項８の何れか一項に記載の曝気レス水処理装置において、
前記嫌気処理槽と前記好気処理槽とを交互に複数組にわたって直列に配列し、各処理槽ごとに異なる菌種の微生物を生育可能にしたことを特徴とする曝気レス水処理装置。
【発明の詳細な説明】
【技術分野】
【０００１】
本発明は、汚水の自然流下を利用して空気を取り込んで好気処理を行う曝気レス水処理装置に関する。
【背景技術】
【０００２】
従来、汚水を浄水処理する水処理装置は既に提案されている。  
この水処理装置は、図１９に示すように嫌気処理槽１０１と好気処理槽１０２とにより構成される。嫌気処理槽１０１内は、下部側から上部方向に向かって嫌気下部空隙部１０３、嫌気ろ床部１０４、嫌気上部越流部１０５の順序で配設され、汚水１０６がポンプ１０７の駆動とともに水配管１０８を通って嫌気下部空隙部１０３に供給され、上向流となって嫌気ろ床部１０４に入っていく。
【０００３】
嫌気ろ床部１０４内には多数のプラスチック担体が配列され、各プラスチック担体の表面には嫌気性微生物が付着固定されている。嫌気ろ床部１０４内に入ってきた汚水中の有機物は、嫌気性微生物と接触する。その結果、嫌気性微生物による分解作用により、有機物の一定量が分解除去される。
【０００４】
嫌気性微生物による有機物分解作用で分解除去された水は、嫌気上部越流部１０５まで満たされたときに嫌気処理槽出口水１０９として出力し、水配管１１０を通って好気処理槽１０２の上部に供給される。１０９ａは嫌気処理槽出口水１０９の水面を表している。
【０００５】
前記好気処理槽１０２内は、上部から下部方向に向かって、好気ろ床部１１１、好気下部空隙部１１２の順序で配設されている。この好気下部空隙部１１２内には散気管１１３が配置され、ブロア１１４を駆動することにより、空気管１１５，…を通して空気を取り込んで散気管１１３から好気下部空隙部１１３に気泡を送り出すことにより曝気処理する。
【０００６】
前記嫌気処理槽１０１より好気処理槽１０２に供給された水は、下向流となって好気ろ床部１１１に送られる。好気ろ床部１１１内は、嫌気ろ床部１０４と同様に多数のプラスチック担体が配列され、各プラスチック担体の表面には好気性微生物が付着固定されている。このとき、嫌気処理槽出口水１０９中に残存する有機物は、下向流となって好気ろ床部１１１に入るが、ここで、好気性微生物と接触すると共に、散気管１１３から供給される空気とも接触する。その結果、活性化された好気性微生物の分解作用により、残存する有機物が分解除去される。１１６は好気ろ床部１１１から流下された処理水１１７を殺菌工程等に排出する水配管である。
【特許文献１】特開平１１−２８５６９６号公報
【発明の開示】
【発明が解決しようとする課題】
【０００７】
しかしながら、以上のような水処理装置では、次のような問題が指摘されている。
【０００８】
（１）  ブロア１１４のランニングコストが高いこと。  
好気下部空隙部１１２内に散気管１１３を配置し、ブロア１１４を駆動することによって散気管１１３から好気下部空隙部１１２内に気泡を送り込んでいるが、ブロア１１４の駆動エネルギーが大きく、常時駆動する必要があることから、ランニングコストが高くなる。つまり、ブロア１１４を駆動せずに、低ランニングコストで水処理することが困難である。通常、汚水処理の総ランニングコストに占めるブロア１１４の駆動エネルギーコストは約５０〜７０％程度とされており、低コスト化の要求が望まれている。
【０００９】
（２）  好気処理の処理性能が不安定となる問題がある。  
この水処理装置においては、ブロア１１４を無しとするか、或いはブロア１１４の空気量を低下させた場合、好気下部空隙部１１２内の酸素が少なくなり、生存にとって必要とされる好気性微生物の増殖が抑制されたり、死滅し、好気処理槽１０２の処理性能が著しく悪化する事態が発生する。
【００１０】
（３）  また、好気処理のみだけでは、窒素、リン等の栄養塩類の低減処理が困難であること。
【００１１】
窒素、リン等を処理する場合、嫌気処理による硝化反応と好気処理による脱窒反応とによる微生物反応か、光合成反応による方法が必要となるが、そのためには好気処理から嫌気処理への循環工程が必要となる。しかし、この水処理プロセスでは、好気処理から嫌気処理への循環工程を取り入れると、嫌気処理槽１０１に好気性微生物が混入し、嫌気処理が悪化する。よって、好気処理から嫌気処理への循環工程が採用できず、結果として窒素、リン等の低減処理が難しい。
【００１２】
また、光合成反応を行う方法もあるが、処理槽の上部を開放すればよいが、当該開放部分のみが光照射され、その開放部分を除く他の部分では光合成反応が行われない。その結果、窒素，リン等の栄養塩類の処理が困難である。
【００１３】
本発明は上記事情にかんがみてなされたもので、ブロア等の加圧空気源を使用することなく被処理水の自然流下時に空気を取り込んで好気性微生物の活性化を図り、これによりランニングコストの低減化、好気性微生物の処理性能の安定化を確保する曝気レス水処理装置を提供することを目的とする。
【課題を解決するための手段】
【００１４】
（１）  上記課題を解決するために、本発明は、ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、前記好気処理槽は、内部に好気性微生物が付着固定された担体が配列され、前記嫌気処理水を当該担体表面の好気性微生物と接触されて分解処理する好気ろ床部と、常圧下で空気を取り込んで前記好気性微生物を活性化する空気供給部とを設けた曝気レス水処理装置である。
【００１５】
なお、前記空気供給部としては、前記好気ろ床部を形成する外壁面部に水平または所定の傾斜角度を有する筒状の空気孔を設けるとか、或いは、好気ろ床部の少なくとも上部に配置され、前記嫌気処理槽から供給される嫌気処理水を当該好気ろ床部上に噴霧する散気部を設けた構成とする。
【００１６】
（２）  また、本発明は、ポンプにより供給される汚水を上向流で流動させて嫌気性処理する嫌気処理槽と、この嫌気処理槽から上部に供給される嫌気処理水を下向流の自然落下で流動させて好気性処理する好気処理槽とを有する水処理装置において、
前記好気処理槽は、横方向に階段状となるように複数の分割好気処理槽が配列され、各分割好気処理槽内にはそれぞれ好気性微生物が付着固定された担体が配列された好気ろ床部と、上段側の前記分割好気処理槽から乱流状態で流下する際に空気中の酸素を取り込んで順次下段側に配列される前記分割好気処理槽に流下する空気供給手段とを設けた構成である。
【００１７】
なお、前記空気供給手段としては、各分割好気処理槽の上部に配列され、供給される前記嫌気処理水を前記各分割好気処理槽の好気ろ床部上に噴霧する散気部を設けた構成であってもよい。
【００１８】
（３）  さらに、本発明に係る曝気レス水処理装置における好気処理槽としては、内部に好気性微生物が付着固定された担体を配列したらせん状の好気ろ床部と、このらせん状の好気ろ床部内を前記嫌気処理水を旋回流式に流下させて空気中の酸素を取り込む空気供給手段とを設けるとか、或いは、内部に好気性微生物が付着固定された担体を配列した段差を有する好気ろ床部と、この好気ろ床部の段差を利用して前記嫌気処理水を流下させる際に空気中の酸素を取り込む空気供給手段とを設けた構成であってもよい。
【００１９】
（４）  さらに、前記空気供給部としては、前記嫌気処理槽上部と前記好気ろ床部の異なる高さ位置との間にそれぞれ弁を有する複数の配管を配設し、前記複数の弁を開閉切り替えることにより、前記好気ろ床部内における前記嫌気処理水の水位を変動させる手段を設けた構成であってもよい。
【００２０】
また、本発明に係る曝気レス水処理装置としては、前述した嫌気処理槽及び好気処理槽に、通常の微生物分解処理流路とは別に、それぞれ弁を有する配管の接続により逆洗浄用流路を形成し、前記弁の切替え及びポンプの駆動によって、前記各処理槽内の流路変更、流動方向及び流量変化、これらの組合せの何れか１つを利用し、前記各処理槽内を洗浄する槽洗浄手段を付加した構成である。
【００２１】
（５）  さらに、本発明に係る曝気レス水処理装置としては、前段側に複数の嫌気処理槽を直列に配列し、これら嫌気処理槽に続いて複数の好気処理槽を直列に配列し、各処理槽ごとに異なる菌種の微生物を生育可能にするか、或いは、前記嫌気処理槽と前記好気処理槽とを交互に複数組にわたって直列に配列し、各処理槽ごとに異なる菌種の微生物を生育可能にした構成であってもよい。
【発明の効果】
【００２２】
本発明によれば、ブロア等の加圧空気源を使用することなく自然的に空気を取り込むことができ、これによりランニングコストの低減化、好気性微生物の処理性能を安定化できる曝気レス水処理装置を提供できる。
【発明を実施するための最良の形態】
【００２３】
以下、本発明の実施形態について図面を参照して説明する。  
（第１の実施の形態）
図１は本発明に係る曝気レス水処理装置の第１の実施の形態を示す全体構成図である。ここで、曝気レスとは、ブロア等を駆動して強制的に気泡を送り込むことなく、汚水処理水の自然の流れの過程で空気を取り込んで好気処理を行う水処理プロセスである。
【００２４】
図１において、１は嫌気処理槽、２は好気処理槽である。嫌気処理槽１内は、下部側から上部方向に向かって嫌気下部空隙部３、嫌気ろ床部４、嫌気上部越流部５の順序で配設され、汚水６がポンプ７及び水配管８を通って嫌気処理槽１底部の嫌気下部空隙部３に供給され、上向流となって嫌気ろ床部４に入っていく。９は嫌気処理槽出口水、９ａは嫌気処理槽出口水９の水面を表している。
【００２５】
嫌気ろ床部４内部には多数のプラスチック等の担体（以下、プラスチック担体と総称する）が配列され、各プラスチック担体の表面に嫌気性微生物が付着固定されている。
【００２６】
前記嫌気処理槽１上部に配設される嫌気上部越流部５は、水配管１０を介して好気処理槽２の上部に連結され、嫌気処理槽１で嫌気処理された有機汚濁物質を含む水が好気処理槽２に供給される。
【００２７】
好気処理槽２は、上部側から下部方向に向かって、好気ろ床部１１、逆円錐形状の傾斜構造を有する好気下部空隙部１２の順序で配設され、当該好気下部空隙部１２の底部に流下された処理水１３は水配管１４を介して例えば後工程（例えば塩素殺菌工程）に送られる。
【００２８】
さらに、好気ろ床部１１の中腹部相当位置の壁面部には空気供給部となる筒状の空気孔１５が水平に取り付けられている。１６は防液部、１７は弁であり、空気孔１５から外部に漏れ出る僅かな水量が防液部１６で貯留され、弁１７から水配管１８を通して外部に排出される。なお、弁１７は例えば防液部１６に設置される水位計（図示せず）で所定値を計測したときに自動的に開弁する構成でもよい。
【００２９】
好気ろ床部１１は、図２に示すように好気下部空隙部１２との境目となる部分に例えば網目状の支持体２０が架設され、当該支持体２０上に多数の大小粒子径のプラスチック担体２１，…がランダムに配列され、各プラスチック担体２１表面には好気性微生物が付着固定されている。支持体２０は、プラスチック担体２１，…の粒子径よりも小さい無数の孔が開けられている。例えばプラスチック担体２１の粒子径が５ｍｍであれば、支持体２１の孔径は１ｍｍ程度である。
【００３０】
次に、以上のような曝気レス水処理装置の作用について説明する。  
汚水６は、ポンプ７を駆動することにより、水配管８を通して嫌気処理槽１の嫌気下部空隙部３に入り、上向流となって嫌気ろ床部４に供給される。嫌気ろ床部４内においては、多数のプラスチック担体（図示せず）が互いに適宜な空隙を形成しつつ積層され、それら担体表面には酸生成菌、メタン菌，脱窒菌、水素発生菌等の嫌気性微生物が付着固定されている。その結果、担体に付着固定されている嫌気性微生物と供給された汚水６中の有機汚濁物質とが接触し、嫌気性微生物の嫌気分解作用により、有機汚濁物質が分解除去されて低減する。
【００３１】
因みに、有機汚濁物質の化学反応による低減プロセスの一例として、例えば酸生成菌（酸性醗酵）とメタン菌（メタン醗酵）の反応例について述べる。  
有機汚泥物質は、高分子の炭水化物、脂肪、蛋白質等で構成され、酸生成菌，メタン菌によって次のような物質に変換される。  
→  脂肪酸（Ｒ−ＣＯＯＨ、ＲＣＨＮＨ2ＣＯＯＨ    ……  酸生成菌による酸性醗酵  
→  酢酸（ＣＨ3ＣＯＯＨ）                        ……  酸生成菌による酸性醗酵  
→  メタン（ＣＨ4）＋二酸化炭素（ＣＯ2）          ……メタン菌によるメタン醗酵  
……（１）式
すなわち、汚水６中の有機汚泥物質は、前記（１）式に基づき、嫌気ろ床部４内の担体に付着されている酸生成菌やメタン菌等の嫌気性微生物の分解反応により、脂肪酸、酢酸、メタン、二酸化炭素等まで分解される。
【００３２】
以上のようにして有機汚泥物質が低減化された水は、嫌気処理槽１上部の嫌気上部越流部５から嫌気処理槽出口水９として水配管１０に入り、好気処理槽２の上部に配設される好気ろ床部１１に供給される。
【００３３】
この好気ろ床部１１は、図２に示すように上部が開放状態となって空気を取り込み、かつ、光合成反応可能な環境となっており、内部的には支持体２０上に多数のプラスチック担体２１，…が互いに適宜な空隙を形成しつつ積層され、それら担体２１の表面には好気性微生物が付着固定されている。好気ろ床部１１内に供給された水は下向流となって流下するが、このとき、筒状の空気孔１５から常圧下にて外気の空気を取り込みながら流下する。その結果、空気孔１５から取り込んだ空気と嫌気処理槽１から供給された嫌気処理槽出口水９とが混じり合った状態でプラスチック担体２１，…間の隙間を通りながら流下する。
【００３４】
この嫌気処理槽出口水９の流下の過程において、嫌気処理槽出口水９中に未だ残存している有機汚濁物質と好気性微生物とが空気中の存在下で接触し、次式のような酸化分解反応が行われる。  
有機汚濁物質（ＣｘＨｙＯｚ）＋酸素（ｘ＋ｙ／４−ｚ／２）Ｏ2 
→  二酸化炭素（ｘＣＯ2）＋水（ｙ／２  Ｈ2Ｏ）        ……  （２）式  
但し、ｘ，ｙ，ｚは係数（ｘ，ｙ，ｚ＝１，2、…からなる整数）である。
【００３５】
この好気ろ床部１１で二酸化炭素や水までに分解された水は、好気下部空隙部１２に流下し、処理水１３として水配管１４を通り、例えば塩素殺菌等の後工程に送られる。
【００３６】
また、好気ろ床部１１内の一部の水が空気孔１５から流出した場合、防液部１６内に蓄積され、例えば一定期間ごとに弁１７を開放し、水配管１８から排出する。
【００３７】
なお、好気ろ床部１１に供給された水には臭気成分である硫化水素Ｈ2Ｓを含んでいる可能性があるが、好気ろ床部１１上部及び空気孔１５から空気を取り込むことにより、下記分解反応に臭気成分を分解することができる。  
硫化水素（Ｈ2Ｓ）＋酸素（Ｏ2）→二酸化硫黄（ＳＯ2）＋水（Ｈ2Ｏ）…（３）式
従って、以上のような実施の形態によれば、以下のような種々の効果を奏する。  
この曝気レス水処理装置においては、空気孔１５が好気ろ床部１１の高さ方向中央部に取り付けられているので、例えば好気ろ床部１１の高さが比較的小さい場合には少ない孔数で効率的に空気を好気ろ床部１１内に取り込むことができ、好気性微生物の活性化に大きく貢献する。
【００３８】
また、好気ろ床部１１がプラスチック担体２１による固定床型を使用したので、プラスチック担体２１上に好気性微生物が高濃度に付着し、有機汚濁物質の処理性能を向上させることができる。
【００３９】
さらに、嫌気処理槽１の嫌気ろ床部４においても、流動床型でなく、固定床型を使用することにより、低濃度では流出しやすい嫌気性微生物を担体の表面に高濃度に留めて付着させることが可能となり、嫌気分解反応の安定化に貢献する。
【００４０】
（第１の実施の形態における他の実施形態例）
（１）  上記実施の形態では、好気ろ床部１１の中腹部相当位置の壁面部に筒状の空気孔１５を水平に取り付けたが、例えば上方から斜め下降傾斜するように好気ろ床部１１の壁面に取り付けてもよい。このような構成にすれば、嫌気処理槽１から供給された嫌気処理槽出口水９が好気ろ床部１１を流下する際、空気孔１５から自然に空気を取り込むことができるだけでなく、好気ろ床部１１内の水の一部が流出することがなくなる。
【００４１】
（２）  また、好気ろ床部１１の高さや横幅等のサイズに応じて、好気ろ床部１１の壁面部に取り付ける空気孔数を増やしてもよい。例えば図３に示すように上下方向や横方向に複数個の空気孔１５ａ，１５ｂ，１５ｃを設けてもよい。
【００４２】
このように複数個の空気孔１５ａ，１５ｂ，１５ｃを設けた構成とすれば、好気ろ床部１１内のプラスチック担体２１、…全体に万遍なく空気を供給でき、好気性微生物の増殖及び活性化を高めることができる。
【００４３】
また、好気ろ床部１１の壁面部の上下方向に複数の空気孔を設ける場合、図４に示すように例えば上部側空気孔１５ｄ、中間側空気孔１５ｅ、下部側空気孔１５ｆの口径を徐々に小さくするようにしてもよい。
【００４４】
このような構成とすることにより、好気ろ床部１１の上部に大きい孔径の空気孔１５ｄを配置し、当該空気孔１５ｄから多量の空気を好気ろ床部１１内の水に供給するが、その後、流下するに従って空気量が減ってくるが、空気孔１５ｅ、１５ｆで補完的に空気を補充すれば、好気ろ床部１１の上下方向の空気流量の均一化を図ることができ、好気分解反応の安定化に大きく寄与する。
【００４５】
なお、これら図３，図４においても、下降傾斜させた筒状の空気孔１５ａ，１５ｂ，１５ｃ、１５ｄ、１５ｅ、１５ｆを取り付けた構成であってもよい。
【００４６】
（３）  さらに、上記実施の形態では、嫌気ろ床部４及び好気ろ床部１１にプラスチック担体を用いたが、プラスチック担体以外の担体を使用することもできる。
【００４７】
例えば、担体としては、砂、アンスラサイト、活性炭、繊維状担体その他木質担体、もみがら等の材料が挙げられる。
【００４８】
砂は、粒径が細かいことから、比表面積が大きく、容積当たりの好気性微生物の付着量を増やすことができる。アンスラライトは、担体表面が粗いので、担体１個当たりの好気性微生物の付着量を増やせる。活性炭は、担体表面に吸着特性があるので、担体１個当たりの好気性微生物の付着量を増やすことが可能である。繊維状担体は、担体表面の比表面積が大きいことから、容積当たりの好気性微生物の付着量を増大できる。木質担体、もみがら等は、表面に吸着特性があるので、好気性微生物の付着量を増大できる。
【００４９】
従って、嫌気ろ床部４や好気ろ床部１１などに使用する担体としては、汚水６の汚濁成分等を考慮し、前述した担体を適宜選択的に使用してもよい。また、一種類の担体ではなく、適宜組合わせて使用することも可能である。例えば嫌気ろ床部４には、下位から上部方向に砂層、もみがら層、活性炭層に分けて積層すれば、汚水６の嫌気分解作用を効率的に促進させることができる。
【００５０】
（４）  さらに、嫌気ろ床部４としては、上向流嫌気性活泥床法（ＵＡＳＢ：Ｕｐｆｌｏｗ  Ａｎａｅｒｏｂｉｃ  Ｓｌｕｄｇｅ  Ｂｌａｎｋｅｔ）等の流動床型の反応槽を使用することもできる。このような反応槽を使用すれば、担体が常時微量流動しているので、担体表面に汚れが付着し難く、目詰まりを防ぐことができる。
【００５１】
（第２の実施の形態）
図５は本発明に係る曝気レス水処理装置の第２の実施形態を説明する図であって、特に好気処理槽の改良例である。従って、好気処理槽を除く他の構成は第１の実施の形態と同じであるので、ここではそれらの説明を省略する。
【００５２】
好気処理槽２は、上部から下部方向に散気部となるスクリーン２６、好気ろ床部１１及び好気下部空隙部１２の順序で配設される。
【００５３】
スクリーン２６は、好気処理槽２の最上部位置に水平となるように配置されている。スクリーン２６は、具体的には、上部が完全開放または網目状或いは光の取り込み可能な透明の蓋体で閉塞され、かつ、下部面部には多数の小孔が形成され、嫌気処理槽１から水配管１０を通ってくる嫌気処理槽出口水９を受け取った後、各小孔から噴霧状の水流２７となって好気ろ床部１１に供給する。２８はスクリーン２６内の水面を表す。
【００５４】
好気ろ床部１１及び好気下部空隙部１２は前述した図２で説明した通りである。
【００５５】
この実施の形態における作用を説明する。  
嫌気処理槽出口水９が水配管１０を通して好気処理槽２の最上部に配置されるスクリーン２６に供給され、ここで、スクリーン２６下部面の多数の小孔から水流２７となって好気ろ床部１１の上部に流下する。このとき、各小孔から流下した水流２７は空気を多量に取り込み、かつ、噴霧状態となって、好気ろ床部１１の上部に供給される。
【００５６】
好気ろ床部１１内には前述するように多数のプラスチック担体２１，…が積層され、各担体２１，…表面には多数の好気性微生物が付着固定されている。その結果、各担体２１、…に付着される多数の好気性微生物が水流２７に溶解された酸素を利用し、前述した（２）式に示す有機分解反応により、有機汚濁物質を分解除去する。そして、分解除去された水は好気下部空隙部１２に流下し、水配管１４を通って例えば殺菌工程に送られる。
【００５７】
従って、この実施の形態によれば、スクリーン２６上部及びスクリーン２６から水流２７が噴射するときに空気中の酸素を十分に取り込んだ状態で噴霧するので、複雑な設備を設けることなく、簡便で効率的に空気中の酸素を取り込んで好気性微生物に供給することができ、よって、前述した（２）式の処理能力を高めることができる。
【００５８】
（第２の実施の形態における他の実施形態例）
（１）  上記実施の形態では、好気処理槽２の最上部だけにスクリーン２６を設置したが、例えば図６に示すように、好気処理槽２に複数段からなる好気ろ床部１１を設け、各段の好気ろ床部１１には支持体２０ａ，２０ｂ上に多数のプラスチック担体２１ａ，…、２１ｂ、…が配列され、各段のプラスチック担体２１ａ，…、２１ｂ、…上にそれぞれスクリーン２６ａ，２６ｂ、…を設けた構成であってもよい。
【００５９】
具体的には、好気ろ床部１１内を例えば上段と下段の領域に分け、上段領域には、上段支持体２０ａ上に多数のプラスチック担体２１ａ，…を配列し、そのプラスチック担体２１ａ，…の積層上にスクリーン２６ａを水平に配置する。このスクリーン２６ａには水配管１０を介して好気処理槽２から嫌気処理槽出口水９が供給される。
【００６０】
また、下段領域においても、好気下部空隙部１２との境目となる位置に下段支持体２０ｂが水平に張設され、当該下段支持体２０ｂ上に多数のプラスチック担体２１ｂ，…を配列し、そのプラスチック担体２１ｂ，…の積層上にスクリーン２６ｂを水平に配置する。
【００６１】
このような構成とすることにより、嫌気処理槽１から供給される嫌気処理槽出口水９がスクリーン２６ａから空気中の酸素を取り込んで上段側好気ろ床部に噴霧状態で流下し、ここで、好気性微生物による分解作用を行いながら下段のスクリーン２６ｂ上に落ちていく。このスクリーン２６ｂでは、スクリーン２６ａと同様に空気中の酸素を取り込んで下段側好気ろ床部に流下し好気性微生物を活性化させることができる。
【００６２】
（２）  図６においては、好気ろ床部１１を上下方向に２段とする領域分けをし、各段の領域にそれぞれスクリーン２６ａ，２６ｂを設置したが、例えば幅広の好気処理槽２を用いた場合、図７に示すように好気処理槽２の最上部の横幅方向に複数のスクリーン２６，２６，…を設置してもよい。
【００６３】
これにより、好気処理槽２の横幅が広い場合でも、複数のスクリーン２６，２６，…に分け、嫌気処理槽１から供給される嫌気処理槽出口水９を各スクリーン２６，２６、…に分岐供給すれば、噴霧による酸素溶解効率を高めることができ、好気ろ床部１１に対して、全体にわたって均等に空気中の酸素を取り込んだ状態で供給できる。さらに、万遍なく好気性微生物の活性化に貢献する。
【００６４】
（第３の実施の形態）
図８は本発明に係る曝気レス水処理装置の第３の実施形態を説明する図であって、特に好気処理槽の改良例である。好気処理槽２を除く他の構成は第１の実施の形態と同じであるので、ここではそれらの構成の説明を省略する。
【００６５】
好気処理槽は、複数の分割好気処理槽２ａ，２ｂ，２ｃからなり、嫌気処理槽１から供給される嫌気処理槽出口水９を受け取る上部高さ相当位置に上段分割好気処理槽２ａを配置し、当該上段分割好気処理槽２ａよりも下位高さ相当位置で、なおかつ横方向に位置をずらして中段分割好気処理槽２ｂを配置し、さらに、当該中段分割好気処理槽２ｂよりも下位高さ相当位置で、なおかつ横方向に位置をずらして下段分割好気処理槽２ｃを配置し、各分割好気処理槽２ａ，２ｂ，２ｃ相互の間には水配管１０ａ、１０ｂを連結する。１１ａ，１１ｂ，１１ｃは分割好気処理槽２ａ，２ｂ，２ｃの好気ろ床部である。
【００６６】
この曝気レス水処理装置においては、嫌気処理槽１から供給される嫌気処理槽出口水９が分割好気処理槽２ａで好気分解反応を行いながら、水配管１０ａ，１０ｂを介して中分分割好気処理槽２ｂ→下段分割好気処理槽２ｃへと乱流状態で流下させていく構成である。
【００６７】
各分割好気処理槽２ａ，２ｂ，２ｃは、個別的には上部から下部方向に好気ろ床部１１ａ，１１ｂ，１１ｃ及び好気下部空隙部１２ａ，１２ｂ、１２ｃを有し、各好気ろ床部１１ａ，１１ｂ，１１ｃにはそれぞれ多数のプラスチック担体２１，…が配列されている。
【００６８】
各分割好気処理槽２ａ，２ｂ，２ｃは、図面上ではそれぞれ傾斜するように配置されているが、それぞれ水平状態に配置しても構わない。
【００６９】
このような実施の形態によれば、各分割好気処理槽２ａ，２ｂ，２ｃの上部が完全開放状態となっているので、光合成反応を促す効果を有すると共に、藻類の生育に有効である。その結果、藻類の繁茂によって前述する（３）式の分解反応が行われ、嫌気処理槽出口水９に含む臭気成分を分解し、臭いのない成分に分解する効果を有する。
【００７０】
また、各分割好気処理槽２ａ，２ｂ，２ｃにおいては、嫌気処理槽出口水９が分割好気処理槽２ａ，２ｂ，２ｃ内で垂直方向に流下し、さらに各分割好気処理槽２ａ，２ｂ，２ｃどうしは斜め方向に流下し、その流動状態が滝のごとく乱流に近い状態で流下することから、空気中の酸化溶解効率を高めることができる。結果として、各好気ろ床部１１ａ，１１ｂ，１１ｃ内での好気性微生物の酸素利用による有機汚濁物質の分解反応が促進され、水中の有機汚濁物質の汚濁分解が進み、水処理性能を向上させることができる。よって、有機汚濁物質の分解効率の向上により、清澄な処理水１３を取り出すことができる。
【００７１】
（第３の実施の形態における他の実施形態例）
この第３の実施の形態では、各分割好気処理槽２ａ，２ｂ，２ｃを横方向に位置をずらして段傾斜状態に配置したが、例えば図９に示すように各分割好気処理槽２ａ，２ｂ，２ｃの最上部にそれぞれスクリーン２６ａ、２６ｂ、２６ｃを設けた構成であってもよい。これにより、図５で説明したと同様の効果を奏することができる。
【００７２】
（第４の実施の形態）
図１０は本発明に係る曝気レス水処理装置の第４の実施形態を説明する図であって、特に好気処理槽の改良例である。好気処理槽を除く他の構成は第１の実施の形態と同じであるので、ここではそれらの説明を省略する。
【００７３】
好気処理槽としては、上部中央部分から下方に向かって少しずつ周辺方向に拡大して行く、いわゆるらせん状（円錐形状）に形成されたらせん形好気処理槽２ｄが使用される。
【００７４】
らせん形好気処理槽２ｄは、その上部中央部分が嫌気処理槽１上部の嫌気上部越流部５と水配管１０を介して連結されている。らせん形好気処理槽２ｄ内には、多数のプラスチック担体２１ｄ、２１ｄ、…が配列され、上部側が完全開放状態となっている。  
らせん形好気処理槽２ｄの最下部には水配管１３が接続され、処理された水１４が殺菌などを行う後工程に送られる。
【００７５】
この曝気レス水処理装置における作用について説明する。  
嫌気処理槽１から嫌気処理槽出口水９が水配管１０を介してらせん形好気処理槽２ｄの上部に供給される。この供給された有機汚濁物質を含む水は、らせん形好気処理槽２ｄを流下する際、プラスチック担体２１ｄ、…の表面に付着固定される好気性微生物と接触し、かつ、乱流状態となって流下する際、空気中の酸素を取り込みながら流下することにより、前記（２）式及び（３）式で表す有機汚濁物質の好気分解反応が起こる。その結果、有機汚濁物質を含む水は、流下するに従って水中の有機汚濁物質が分解除去され、清澄な処理水１３となり、水配管１４から排出される。
【００７６】
このような実施の形態によれば、らせん状をなす好気処理槽２ｄの上部から下方周辺部に跨ってプラスチック担体２１ｄ、…を配列することにより、有機汚濁物質を含む水はプラスチック担体２１ｄ、…の表面と接触しながら空気中の酸素を取り込んで流下する。その結果、より空気との接触機会が大きくなり、酸素溶解効率を向上させることができる。よって、好気性微生物の活性化を促し、安定的な好気分解作用を維持させることができ、処理能力の安定化に貢献する。
【００７７】
（第４の実施の形態における他の実施の形態例）
上記第４の実施の形態では、概略三角錐をなすようにらせん状の好気処理槽２ｄの構成としたが、例えば図１１に示すように概略逆円錐形状をなすようならせん状の好気処理槽２ｅとした構成であってもよい。このらせん状の好気処理槽２ｅは、上部が大径の円弧を描きつつ下部に行くに従って徐々に小径の円弧を描くようならせん状に形成され、上部側は全体的に完全開放状態となっている。そして、図１０と同様にらせん状好気処理槽２ｅ内には多数のプラスチック担体２１ｅ，…が配列され、その担体２１表面には好気性微生物が付着固定されている。なお、当該らせん状好気処理槽２ｅは、安定的な起立を確保するために大型の容器３０内に設置される。
【００７８】
このような構成によれば、好気処理槽２ｅの底部中央部に処理された清澄水１３を収集し、水配管１４を介して回収することができる。
【００７９】
さらに、図１０，図１１は何れも好気処理槽２ｄ、２ｅを円錐形状に構成したが、その他の形状、例えばピラミッド状や逆ピラミッド状に形成してもよい。このような構成とすることにより、四角形の角部分で流動状態の変化が生じるので、酸素溶解効率を高めることが可能である。
【００８０】
（第５の実施の形態）
図１２は本発明に係る曝気レス水処理装置の第５の実施形態を説明する図であって、特に好気処理槽の改良例である。好気処理槽を除く他の構成は第１の実施の形態と同じであるので、ここではその説明を省略する。
【００８１】
この実施の形態は、階段状に形成された好気処理槽２ｆを使用し、階段部分となる内部にはそれぞれプラスチック担体２１ｆ、…が多数配列されている。
【００８２】
嫌気処理槽１から供給された嫌気処理槽出口水９は水配管１０を介して階段状好気処理槽２ｆの最上段に供給され、各段のプラスチック担体２１ｆ、…の表面と接触しつつ、順次下段に乱流状態となって流下し、最下段から水配管１４を通して後工程に送られる。
【００８３】
このような構成によれば、嫌気処理槽１上部から供給された嫌気処理槽出口水９が階段状に形成された段差部分を流下する際、流動状態の変化，すなわち乱流状態が生じた状態で流下するので、嫌気処理槽出口水９が空気中の酸素を取り込み易くなり、酸素溶解効率を高めることができる。よって、前述したようにプラスチック担体２１ｆ、…の表面に付着固定された好気性微生物が活性化され、前記（２）式及び（３）式の分解反応によって嫌気処理槽出口水９に含まれる有機汚濁物質を効率的、かつ、安定的に分解除去することが可能となる。
【００８４】
また、図１３に示すように、口径の異なる複数の処理槽の積み上げることにより、上下方向に段差を伴った多段積み好気処理槽２ｇとし、上段処理槽から溢れた水が下段処理槽に流下する構成としてもよい。各段の処理槽内には多数のプラスチック担体２１ｇ，…が配列され、前述同様にプラスチック担体２１ｇ，…の表面に好気性微生物が付着固定されている。
【００８５】
このような構成とすることにより、図１２と同様の効果を奏することができる。
【００８６】
（第６の実施の形態）
図１４は本発明に係る曝気レス水処理装置の第６の実施形態を説明する図であって、前述同様に好気処理槽の改良例である。他の構成は第１の実施の形態と同様である。
【００８７】
この実施の形態は、嫌気処理槽１の嫌気上部越流部９から複数の分岐配管３１，３２を導出し、一方の分岐配管３１は好気処理槽２の好気ろ床部１１上部に配設し、もう一方の分岐配管３２は好気ろ床部１１の中腹部に連結する。これら分岐配管３１，３２にはそれぞれ弁３３，弁３４が個別に取り付けられている。
【００８８】
このような曝気レス水処理装置における好気処理槽２の作用について説明する。  
好気処理槽２においては、予め定める所定の時間ごとに弁３３，弁３４を交互に開閉する。これにより、弁３３の開放時、嫌気処理槽１の嫌気処理槽出口水９は、分岐配管３１を介して好気処理槽２の好気ろ床部１１上部に供給され、その水位は好気ろ床部１１上部相当位置となる。
【００８９】
一方、弁３４の開放時、嫌気処理槽１の嫌気処理槽出口水９は、分岐配管３２を介して好気処理槽２の好気ろ床部１１中腹部に供給され、その水位は好気ろ床部１１中腹部相当位置に変更される。
【００９０】
従って、このような構成によれば、弁３３，３４を交互に切り替えることにより、好気ろ床部１１内の水位が変動するので、水位付近の上部が気相状態となり、水位付近の好気性微生物の酸素溶解効率を増大させることができる。また、好気ろ床部１１内の好気性微生物の生育領域全体に空気との接触機会を増やすことができ、好気性微生物の活性化にも大きく寄与し、処理性能の安定化を図ることができる。
【００９１】
なお、図１４においては、２つの分岐配管３１，３２としたが、特に２つの限定するものではない。すなわち、３つ以上の分岐配管とし、それぞれに好気ろ床部１１の高さ方向に位置を異ならせて連結すると共に、各分岐配管にはそれぞれ弁を設置し、所定の順序で順次各弁を開閉切替える構成でもよい。また、好気ろ床部１１の高さ方向ではなく、好気ろ床部１１の横方向に所定の間隔ごとに分岐配管を連結する構成であっても構わない。
【００９２】
さらに、各弁３３，３４は手動操作による開閉切替えでもよく、或いは電動弁とタイマとを組合せることにより、所定時間ごとに各弁３３，３４を交互に自動的に開閉制御する構成であってもよい。
【００９３】
（第７の実施の形態）
図１５は本発明に係る曝気レス水処理装置の第７の実施形態を示す構成図である。
【００９４】
曝気レス水処理装置は、各処理槽１，２の洗浄運転を可能とした例である。曝気レス水処理装置は、具体的には、ポンプ７の出力側から嫌気処理槽１の底部と好気処理槽２の底部とにそれぞれ水配管４１，４２で連結し、これら水配管４１，４２にそれぞれ弁４３，４４が設置されている。この弁４４と好気処理槽２の底部との間の水配管４２の所定部位から弁４５を有する水配管４６が導出され、後工程に連結される。
【００９５】
また、嫌気上部越流部５から好気処理槽２の好気ろ床部１１上部、および好機ろ床部１１上部から嫌気処理槽１の嫌気ろ床部４上部にそれぞれ水配管４７，４８が連結され、各水配管４７，４８にはそれぞれ弁４９，５０が設置されている。さらに、嫌気処理槽１の下部に位置する嫌気下部空隙部３には弁５１を有する水配管５２が連結され、当該水配管５２の端部が汚水６を貯留する槽５３に配設されている。その他の構成は図１と同様であるので、ここではその説明を略する。
【００９６】
次に、以上のような曝気レス水処理装置の作用について図１６を参照して説明する。  
通常運転時、つまり汚水６の分解処理時、弁４３，４９，４５を開とし、それ以外の弁４４，５０，５１を閉とする（Ｓ１）。
【００９７】
この状態において、洗浄運転開始時刻に達したか否かを判断し（Ｓ２）、未だ洗浄運転開始時刻に達していない場合、ポンプ７を駆動し、汚水６を水配管４１を介して嫌気下部空隙部３に供給し、嫌気処理槽１内を上向流とした状態で流す。そして、嫌気処理槽１上部の嫌気上部越流部５に達した有機汚泥物質を含む水を、弁４９を有する水配管４７を介して好気処理槽２上部に供給し、好気処理槽２内を下向流の状態で流す。
【００９８】
これら処理槽１，２内部では、嫌気性微生物による前記（１）式の反応と、好気性微生物による前記（２）式の反応により、汚水６中の有機汚濁物質が分解除去され、清澄な処理水４６に分解され、水配管４２及び弁４５を有する水配管４６を通って殺菌等の後工程に送られる。
【００９９】
一方、ステップＳ２において、洗浄運転開始時刻に達したと判断したとき、洗浄運転に変更する。洗浄運転は、弁４３，４９，４５を閉じ、弁４４，５０，５１を開とし（Ｓ３）、水の流動方向を逆転させる。すなわち、汚水６は、弁４４を有する水配管４２を通って好気処理槽２内の底部に供給され、当該好気処理槽２内を上向流で流動させる。汚水６は、好気処理槽２内の上部に達した後、弁５０を有する水配管４８を通って嫌気処理槽１内の上部に供給される。嫌気処理槽１内では、好気処理槽２から受け取った水が下向流で流動し、弁５１を有する水配管５２を介して汚水６の貯留槽５３に返送される。
【０１００】
逆洗浄時、洗浄運転終了時刻に達したか否かを判断し（Ｓ４）、未だ洗浄運転終了時刻に達していない場合には洗浄運転を継続する。ステップＳ４において、洗浄運転終了時刻に達したとき、各弁４３，４４，４５，４９，５０，５１を元の通常運転に開閉し、汚水６の分解反応処理を実施する。
【０１０１】
その結果、洗浄運転時、好気処理槽２内の好気ろ床部１１で増殖した高濃度化した好気性微生物等の余分な量が逆流による揃断力によってプラスチック担体２１，…から剥離される。この剥離された洗浄物は、汚水６とともに好気処理槽２内を上昇し、嫌気処理槽１内の上部に供給される。
【０１０２】
この嫌気処理槽１内に供給された好気処理槽２内で剥離された洗浄物を含む水は、嫌気処理槽１内を下向流で流下する。このとき、逆流による揃断力によって同様に高濃度化している嫌気性微生物等の過剰量が剥離され、弁５１を有する水配管５２を介して汚水６の貯留槽５３に戻される。
【０１０３】
従って、このような実施の形態によれば、嫌気処理槽１と好気処理槽２とを通常運転とは異なる１つの流路に切り替えることにより、通常運転の他、容易に洗浄運転することができ、各処理槽１，２の有機分解反応を回復させることができ、ひいては安定的な分解処理性能を確保できる。
【０１０４】
また、ポンプ７の駆動によって供給された汚水６は、各処理槽１，２を洗浄した後、元の汚水貯留域に返送するので、洗浄水を処理するための槽が不要となり、省スペース運転を実現できる。
【０１０５】
また、通常運転と洗浄運転との水の流動方向を逆転させたことにより、洗浄物の揃断力が高くなり、洗浄効果を増大させることができ、有機分解反応を回復力を高めることができる。
【０１０６】
（第７実施の形態における他の実施の形態例）
（１）  嫌気処理槽１と好気処理槽２とを個別に逆洗浄流路で洗浄運転すれば、嫌気性微生物の増殖分と、好気性微生物の増殖分とをそれぞれ回収し保管することにより、各処理槽１，２の微生物状態の悪化時に保管微生物を再供給して再生させることができる。また、各処理槽１，２内の微生物余剰分を互いに反対側の各処理槽２，１に移動させることによってコンタミネーション（微生物汚染）を実施すれば、対称槽の微生物活性が悪化するという問題をついても、別々の洗浄運転することにより、解決することが可能となる。
【０１０７】
（２）  また、汚水６の循環処理ではなく、洗浄された汚水を別の槽に回収することも可能である。よって、前記（１）と同様に、それぞれの微生物の活性を維持することが可能となる。
【０１０８】
（３）  さらに、上記実施の形態では、通常運転の流動方向を逆転させることによって洗浄運転を行っているが、通常運転の流量を増大させる運転により、洗浄運転することも可能である。例えば図１に示す構成において、ポンプ７の駆動力を高めて汚水６の流量を増加させ、各処理槽１，２内の流動状態を高くすることにより、各処理槽１,２内の微生物を剥離させることも可能である。この点に関し、図１に限定されず、図１５の洗浄運転で流量を増加させて運転する場合にも適用可能であることは言うまでもない。
【０１０９】
（第８の実施の形態）
図１７は本発明に係る曝気レス水処理装置の第８の実施形態を示す構成図である。
【０１１０】
この曝気レス水処理装置は、複数の嫌気処理槽１，１を直列に接続した後、後続の嫌気処理槽１上部の嫌気処理槽出口水９を、同じく複数の好気処理槽２，２を直列接続した前段の好気処理槽２の上部に供給する構成である。なか、各嫌気処理槽１，１及び各好気処理槽２，２について前述した各実施の形態と同様の構成である。
【０１１１】
以上のような構成の曝気レス水処理装置の作用について説明する。  
２つの嫌気処理槽１，１を直列に接続して分解反応処理を行うことにより、例えば各嫌気処理槽１，１内の多数のプラスチック担体表面に異なる種類の嫌気性微生物を付着固定させて適切な分解処理を実施させる。例えば前段の嫌気処理槽１では、難分解性有機物を可溶化させる可溶化微生物、後段側の嫌気処理槽１では、可溶化された有機物をメタン等に変換させるメタン菌を優占種とし、分解反応処理によりメタンに変換する。
【０１１２】
一方、２つの好気処理槽２，２を直列に接続することにより、前段の好気処理槽２では、有機物除去のための従属栄養細菌、後段の好気処理槽２では、硝化（アンモニア）除去のための硝化細菌等を優先的にプラスチック担体２１，…に付着固定させて分解反応処理を行うことが可能である。
【０１１３】
このような構成によれば、複数の嫌気処理槽１，１と複数の好気処理槽２，２とをそれぞれ直列に接続することにより、嫌気処理及び好気処理の際にそれぞれ付着微生物の種類を変化させることが可能となり、有機汚濁物質のみならず、分解困難な難分解性微生物やアンモニア窒素或いはリン等の汚濁物質も容易に分解反応処理することができる。
【０１１４】
（第８の実施の形態における他の実施の形態例）
（１）  上記実施の形態では、前段側に２つの嫌気処理槽１，１、後段側に２つの好気処理槽２，２を配列したが、それぞれ３つ以上直列に配列する構成であってもよい。
【０１１５】
また、嫌気処理槽１及び好気処理槽２は、同数ではなく、２つと３つ、或いは３つと２つというように、互いに異なる個数を接続し、分解反応処理を実施してもよい。このような構成によれば、汚水中の有機おだく物質の濃度が高濃度の場合でも、処理能力を下げることなく分解反応処理を実施できる。
【０１１６】
（２）  前段側に２つの嫌気処理槽１，１、後段側に２つの好気処理槽２，２を直列に配列したが、例えば図１８に示すように、嫌気処理槽１と好気処理槽２とが交互に直列に配置する構成であってもよい。
【０１１７】
このような構成によれば、前段の処理槽１，２の組合せで除去できなかった有機汚濁物質を、次の後続側の処理槽１，２の組合せによって分解除去でき、最終処理水１３をより良好な品質とすることができる。
【０１１８】
各実施の形態では、各好気処理槽が外気に剥き出しの状態で設置しているが、適宜必要に応じて例えば少なくとも上部を透明体とした収納容器内に設置させてもよい。この場合、収納容器には適宜に空気窓が設けられ、外光だけでなく、通気性をも考慮して設置される。
【０１１９】
その他、本発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【０１２０】
【図１】本発明に係る曝気レス水処理装置の第１の実施の形態を示す全体構成図。
【図２】図１に示す好気処理槽の内部構成図。
【図３】本発明に係る曝気レス水処理装置の第１の実施の形態における他の好気処理槽の構成図。
【図４】本発明に係る曝気レス水処理装置の第１の実施の形態におけるさらに他の好気処理槽を示す構成図。
【図５】本発明に係る曝気レス水処理装置の第２の実施形態を説明する好気処理槽の内部構成図。
【図６】本発明に係る曝気レス水処理装置の第２の実施の形態における他の好気処理槽を示す内部構成図。
【図７】本発明に係る曝気レス水処理装置の第２の実施の形態におけるさらに他の好気処理槽を示す構成図。
【図８】本発明に係る曝気レス水処理装置の第３の実施の形態における好気処理槽の構成図。
【図９】本発明に係る曝気レス水処理装置の第３の実施の形態における他の好気処理槽の構成図。
【図１０】本発明に係る曝気レス水処理装置の第４の実施の形態における好気処理槽の構成図。
【図１１】本発明に係る曝気レス水処理装置の第４の実施の形態における他の好気処理槽の構成図。
【図１２】本発明に係る曝気レス水処理装置の第５の実施の形態における好気処理槽の構成図。
【図１３】本発明に係る曝気レス水処理装置の第５の実施の形態における他の好気処理槽の構成図。
【図１４】本発明に係る曝気レス水処理装置の第６の実施の形態を示す全体構成図。
【図１５】本発明に係る曝気レス水処理装置の第７の実施の形態を示す全体構成図。
【図１６】図１５に示す曝気レス水処理装置の作用を説明するフローチャート。
【図１７】本発明に係る曝気レス水処理装置の第８の実施の形態を示す全体構成図。
【図１８】本発明に係る曝気レス水処理装置の第８の実施の形態の他の構成例を示す図。
【図１９】従来の水処理装置の構成図。
【符号の説明】
【０１２１】
１…嫌気処理槽、２…好気処理槽、２ａ，２ｂ，２ｃ…分割好気処理槽、２ｄ，２ｅ…らせん形好気処理槽、２ｆ，２ｇ…階段状好気処理槽、３…嫌気下部空隙部、４…嫌気ろ床部、５…嫌気上部越流部、６…汚水、７…ポンプ、９…嫌気処理槽出口水、１０…水配管、１１，１１ａ，１１ｂ，１１ｃ…好気ろ床部、１２…好気下部空隙部、１３…処理水、１４…水配管、１５，１５ａ〜１５ｆ…空気孔、２０…支持体、２１，２１ａ，２１ｂ，２１ｄ，２１ｅ，２１ｆ…担体、２６，２６ａ，２６ｂ，２６ｃ…スクリーン、２７，２７ａ，２７ｂ…水流。
【図１】
2007307530.tif 000003
【図２】
2007307530.tif 000004
【図３】
2007307530.tif 000005
【図４】
2007307530.tif 000006
【図５】
2007307530.tif 000007
【図６】
2007307530.tif 000008
【図７】
2007307530.tif 000009
【図８】
2007307530.tif 000010
【図９】
2007307530.tif 000011
【図１０】
2007307530.tif 000012
【図１１】
2007307530.tif 000013
【図１２】
2007307530.tif 000014
【図１３】
2007307530.tif 000015
【図１４】
2007307530.tif 000016
【図１５】
2007307530.tif 000017
【図１６】
2007307530.tif 000018
【図１７】
2007307530.tif 000019
【図１８】
2007307530.tif 000020
【図１９】
2007307530.tif 000021